(57)【要約】　　　（修正有）【課題】専門の施工者でなくとも、簡単に精度よく遊技機の位置合せ、設置が可能な遊技機設置用定規を提供する。【解決手段】遊技場において膳板の上に遊技機を設置するのに用いる遊技機設置用定規であって、膳板の上に載置する基部３が膳板前面に当接する当接部を有し、遊技機の前面と当接し位置決めする位置決め部２が、基部の前辺から所定距離で平行に基部の上に仮固定される、ことを特徴とする遊技機設置用定規である。【選択図】　　図１
0003100352.tif 000002
【実用新案登録請求の範囲】
【請求項１】
遊技場において膳板の上に遊技機を設置するのに用いる遊技機設置用定規であって、
　膳板の上に載置する基部が膳板前面に当接する当接部を有し、
　遊技機の前面と当接し位置決めする位置決め部が、基部の前辺から所定距離で平行に基部の上に仮固定される、
ことを特徴とする遊技機設置用定規。
【考案の詳細な説明】
【技術分野】
【０００１】
　本発明は、パチンコ機、パチスロ機、スロット機等の遊技機を設置するのに用いる遊技機設置用定規に関する。
【背景技術】
【０００２】
　パチンコホールやパチンコパーラー等の遊技場において、多数のパチンコ機、パチスロ機、スロット機等の遊技機を横並びに設置して、「壁島（かべしま）」や「中島（なかしま）」を形成している。遊技場の床から幅木を直立して設け、その上に腰板を表面を揃えて直立して設ける。腰板の上端に膳板、前板、遊技機台あるいは天板（以下、「膳板」という。）を水平にして、膳板の後部をネジ止め固定する。膳板の後部の上に遊技機の下端を当接して載せ固定する。膳板の上への遊技機の位置決めのためには、従来は専門の施工者が通常の金尺や巻尺を用いたり、あるいは目視で行っていた。
【考案の開示】
【考案が解決しようとする課題】
【０００３】
　しかし、設置台数が少ない場合には、専門の施工者を派遣して深夜に設置するのは経済面で見合わず困難である。そのため、遊技場の従業員が設置工事を行うことが増えている。遊技場の従業員が設置を行うと、通常の定規を用いても、位置合せをしっかりと行うのは難しい。その結果、遊技機の前面が一直線上に並ばず、でこぼこになったり、蛇行してしまい、位置合せ不良が頻繁に生ずるという問題がある。あるいは、位置合せのために長時間を要するという問題がある。
【０００４】
　そこで、本考案の目的は、専門の施工者でなくとも、簡単に精度よく遊技機の位置合せ、設置が可能な遊技機設置用定規を提供することである。
【課題を解決するための手段】
【０００５】
　上記目的は、請求項１に記載の本考案に係る遊技機設置用定規、すなわち、遊技場において膳板の上に遊技機を設置するのに用いる遊技機設置用定規であって、膳板の上に載置する基部が膳板前面に当接する当接部を有し、遊技機の前面と当接し位置決めする位置決め部が、基部の前辺から所定距離で平行に基部の上に仮固定される、ことを特徴とする遊技機設置用定規によって、達成される。
【０００６】
　基部の前辺から所定距離で平行に位置決め部を仮固定する。次に基部の当接部を遊技場の膳板前面に当接しつつ膳板の上に載置する。その後に、位置決め部が遊技機の前面に当接するように遊技機の位置を前後に微動させて位置決めし、遊技機を膳板の上に固定する。このように遊技機の前後方向位置を決めて横並びに設置する。
【考案の効果】
【０００７】
　本考案に係る遊技機設置用定規によれば、遊技機を遊技場の膳板前端から所定距離で平行に、ばらつきがなく、容易に設置することができ、設置作業が未熟練者であっても短時間で一直線上に並べて美しく設置できる。
【考案を実施するための最良の形態】
【０００８】
　以下、本考案の実施例の遊技機設置用定規について、添付図面を参照して、詳細に説明する。
【実施例１】
【０００９】
　図１は本考案の実施例１の遊技機設置用定規の概略図であり、（ａ）は位置決め部の斜視図であり、（ｂ）は基部の斜視図である。
【００１０】
　位置決め部２は平板からなり、当接面２３が形成されている。当接面２３の形状は遊技機の前面のプロファイルに対応している。位置決め部２には短辺に平行に伸びる貫通孔２７，２８が形成されている。
【００１１】
　基部３は平板部３１と直立部６１とからなり、直立部６１の上面６２は平面状であり、短辺近くにはガイド板３９１，３９２が取り付けられている。そして、ガイド板３９１，３９２の内側の長辺に位置決め部２の短辺が接触し案内されて摺動する。ガイド板３９１，３９２には目盛が付けてある。目盛は２〜５ｍｍの等間隔とするのが好ましい。上面６２にはネジ溝付きボルト４１，４２が植立されている。
【００１２】
　基部３の上面６２の上に位置決め部２を載せ、位置決め部２の貫通孔２７，２８の中にネジ溝付きボルト４１，４２をそれぞれ貫通する。続いてネジ溝付きボルト４１，４２にそれぞれナット５１，５２を螺合させて、ネジ締めして固定する。左右のガイド板３９１，３９２の目盛を使って、基部３の前端３０に対して位置決め部２が平行に保たれるようにする。
【実施例２】
【００１３】
　図２は本考案の実施例２の遊技機設置用定規の概略図であり、（ａ）は位置決め部の斜視図であり、（ｂ）は基部の斜視図である。
【００１４】
　位置決め部２はベース部２１、直立部２２、当接面２３とからなる。ベース部２１の底面２４は長方形平面ではあるが奥寄りの左右にそれぞれ１本ずつの円柱状突起２５，２６を有している。また、手前寄りには長円状の貫通孔２７，２８が形成されている。貫通孔２７，２８の長軸はベース部２１の前辺に対して傾いている。直立部２２はベース部２１の奥寄りの上に接続されている。当接面２３は直立部２２の上部に接続されている。当接面２３の曲線は遊技機の対向する高さの輪郭に対応している。もちろん、当接面２３に数本の突起を設けて、遊技機の輪郭と当接するようにしてもよい。そして、突起は突出長さを可変で一時固定できるようにしてもよい。
【００１５】
　基部３は平板部３１と当接部３２とからなり、長方形平板状の平板部３１の前端３０から、当接部３２は下方へ垂下している。平板部３１の奥寄りには３個ずつの円柱状凹部３３、３４、３５；３６、３７、３８が左右に形成されている。そして、円柱状凹部３３、３４、３５；３６、３７、３８よりわずかに手前にネジ溝付きボルト４１、４２が植立されている。
【００１６】
　図３は実施例２に係る遊技機設置用定規の平面図である。円柱状凹部３３、３６について、平板部３１の前端３０からの距離Ｌ１、Ｌ２は等しく、円柱状凹部３３と３６を結ぶ直線は前端３０に平行である。円柱状凹部３３、３４、３５及び３６、３７、３８は縦方向と横方向にそれぞれ等間隔に配置され、これらは前端３０に対し傾いた直線上にそれぞれ並んでいる。ネジ溝付きボルト４１、４２について、前端からの距離Ｌ３、Ｌ４は等しく、これらを結ぶ直線は前端３０に平行である。
【００１７】
　基部３の上に位置決め部２を載せ、位置決め部２の貫通孔２７、２８の中にネジ溝付きボルト４１、４２をそれぞれ貫通するとともに、位置決め部２の円柱状突起２５と２６を基部３の円柱状凹部３３と３６あるいは３４と３７あるいは３５と３８に嵌合させる。続いてネジ溝付きボルト４１、４２にそれぞれナット５１、５２を螺合させて、ネジ締めして固定する。すると、基部３の前端３０に対して位置決め部２は平行に保たれる。また、嵌合させる円柱状凹部を選択することによって、基部３の前端３０からの距離を例えば、２〜５ｍｍきざみの所定寸法に変更することができる。
【図面の簡単な説明】
【００１８】
【図１】本考案の実施例１の遊技機設置用定規の概略図であり、（ａ）は位置決め部の斜視図であり、（ｂ）は基部の斜視図である。
【図２】本考案の実施例２の遊技機設置用定規の概略図であり、（ａ）は位置決め部の斜視図であり、（ｂ）は基部の斜視図である。
【図３】実施例２に係る遊技機設置用定規の平面図である。
【符号の説明】
【００１９】
　　２　位置決め部
　　２１　ベース部
　　２２　直立部
　　２３　当接面
　　２４　底面
　　２５　円柱状突起
　　２６　円柱状突起
　　２７　貫通孔
　　２８　貫通孔
　　３　基部
　　３０　平板部の前端
　　３１　平板部
　　３２　当接部
　　３３　円柱状凹部
　　３４　円柱状凹部
　　３５　円柱状凹部
　　３６　円柱状凹部
　　３７　円柱状凹部
　　３８　円柱状凹部
　　３９１　ガイド板
　　３９２　ガイド板
　　４１　ネジ溝付きボルト
　　４２　ネジ溝付きボルト
　　５１　ナット
　　５２　ナット
　　６１　直立部
　　６２　上面
【図１】
0003100352.tif 000003
【図２】
0003100352.tif 000004
【図３】
0003100352.tif 000005